(57)【要約】      （修正有）【課題】キッチンで落下飛散する液体・油・調理屑などがキッチン下の床面に流出することなく捕捉して備蓄し、スリッパや足で他の部屋の床面に拡散するのを防ぎ、他の床面を清潔に保つことができ、また洗い安いキッチンフロアマットの提供。【解決手段】底板１の上面周縁部に枠縁２ａ、２ｂを立て、底板１の上面に枠縁の高さとほぼ同じ高さの滑らかな形状の突起３を所定の間隔で設け、飛散した液体・油・調理屑を捕捉し蓄えることができる。また底板１の上面周縁部の枠縁２ａ、２ｂにより落下飛散した液体や油が床に流出することがない。さらに突起３の高さにより出来た空間４に溜まった液体・油・調理屑などがスリッパや足の裏に付着することがない。また連結具５および６で各ユニットを連結する。【選択図】図１
0003123039.tif 000002
【実用新案登録請求の範囲】
【請求項１】
所定の大きさの底板の上面周縁部に枠縁を立て、底板の上面に枠縁の高さとほぼ同じ高さの滑らかな形状の突起を所定の間隔で複数もうけたことを特徴とするキッチンフロアマット。
【請求項２】
前記所定の大きさの底板の上面周縁部の枠縁は、他の被覆状の連結部品によって、接続自在としたことを特徴とする請求項１に記載のキッチンフロアマット。
【請求項３】
前記所定の大きさの底板の上面周縁部の枠縁は、一方向に連結自在な被覆状の連結カバーを具備することを特徴とする請求項１に記載のキッチンフロアマット。
【考案の詳細な説明】
【技術分野】
【０００１】本考案はキッチンで落下飛散する液体・油・調理屑などをキッチンの床面に流出することなく捕捉して備蓄し、さらにスリッパや足の裏で他の床面に拡散するのを防ぎ、洗い安いキッチンフロアマットに関する。
【背景技術】
【０００２】従来、キッチンフロアマットに関連する技術としては、繊維製品のキッチンフロアマットが一般的で、液体・油・調理屑などは繊維の上に落下したものを受け止めるだけの技術で、液体・油がキッチンの床面に流出し、また液体・油・調理屑などがスリッパや足の裏に付着し、そのまま移動すると他の床面に拡散して他の床面を汚す原因になっていた。また従来のキッチンマットは長尺なので、洗う時かさばって重く簡単に洗うことができなかった。【０００３】従来、ゴム製の玄関マットのような技術もあるが、底に穴を貫通させ、また四方の枠にスリット溝を設けむしろ水などの液体を外部に排出する構造になっており、また靴底に付着した泥を落とす目的で芝生のような細かい突起形状なので、ある程度の大きさの屑は表面に浮き、底に備蓄し難い欠点があり、本考案とは思想が違っていた。又先行技術としては特開平１１−２８５４５８などがあるが、これらは飛散した液体を吸収シートで吸収するのが目的で、他の部屋の床面に液体以外の汚れを拡散することを抑止する技術ではなかった。
【考案の開示】
【考案が解決しようとする課題】
【０００４】本考案はかかる不具合を解決するためになされたもので、キッチンで飛散落下する液体・油・調理屑などをキッチンの床面に流出することなく捕捉して備蓄し、スリッパや足で他の床面に拡散するのを防ぎ、他の床面を清潔に保つことができ、洗いやすいキッチンフロアマットの提供を課題とするものである。
【課題を解決するための手段】
【０００５】上記目的を達成するために、所定の大きさの底板の上面周縁部に枠縁を立て、枠縁の高さとほぼ同じ高さの滑らかな形状の突起を所定の間隔で複数もうけている。またユニット単位の場合、所定の大きさの底板の上面周縁部の枠縁は、連結自在な接続ができるから、手で持ち運びできる程度の大きさの単位のユニットで製作し、各ユニットを連結すれば自由な大きさで使用できる。
【考案の効果】
【０００６】このような構成により、所定の大きさの底板の上面周縁部の枠縁と、枠縁の高さとほぼ同じ高さの滑らかな形状の突起を所定の間隔でもうけ、枠縁と突起の空間に落下飛散する液体・油・調理屑などを捕捉して蓄えることができ、突起によりスリッパや足の裏に液体・油・調理屑などが付着することがないため、他の床面に移動してもスリッパや足の裏で他の床面を汚すことがなく、室内を清潔に保つことができる。また滑らかな形状の突起を所定の間隔で設けているので洗い安い。【０００７】所定の大きさの底板の上面周縁部の枠縁は、連結自在な被覆状連結具の接続部となっているから、手で持ち運びできる程度の大きさの単位のユニットで製作し、各ユニットを被覆状連結具で連結すれば自由な大きさで使用でき、各ユニットの隙間は被覆状連結具により液体・油・調理屑が隙間に落ちることはない。また汚れたユニットだけを取り外して洗うことができるので、持ち運びの負担が少ない。
【考案を実施するための最良の形態】
【０００８】以下、図面に示す本考案を実施するための最良の形態により、本考案を詳細に説明する。なお、これらの本考案の異なる形態の説明に当たって、本考案の実施例１の形態と同一構成部分には同一の符号を付して重複する説明を省略し、効果や材料、寸法、加工法など重複する説明を省略する。
【実施例１】
【０００９】請求項１による本考案の実施例１である。図１は本考案の実施の形態にかかるキッチンフロアマットの図２のＡ−Ａ断面図である。図２は本考案の実施にかかる平面図である。図３は本考案の実施の形態にかかるキッチンフロアマットの実施例の斜視図である。【００１０】図１において、キッチンフロアマットは所定の大きさの底板１の上面周縁部に立てられた枠縁２ａ，２ｂである。２ｂは枠縁の別の形態で枠縁に斜面を設けた例である。底板の上面に、枠縁２ａ，２ｂとほぼ同じ高さの滑らかな形状の突起３を所定の間隔で複数もうけてある。４は底板と枠縁と突起により出来た空間である。【００１１】所定の大きさの底板の上面周縁部に立てられた枠縁および底面上部に設けられた突起は一体で、高さは３〜８ｍｍ程度、各突起の間隔は６ｍｍ〜１５ｍｍ、底板の大きさは縦３００〜６５０ｍｍ、横３００〜８００ｍｍの合成樹脂、発泡性合成樹脂、合成ゴム、エラストマー等の材料で構成されている。成型法としてはインジェクション成型、注型、板状からの真空成型などが適している。【００１２】本考案のキッチンフロアマットは、所定の大きさの底板１の上面周縁部に立てられた枠縁２ａ、２ｂと、当該底板１の上面に枠縁２ａ、２ｂの高さとほぼ同じ高さの滑らかな形状の突起３を所定の間隔でもうけ、枠縁２ａ、２ｂと複数の突起３により出来る空間４に落下飛散する液体・油・調理屑を捕捉し蓄えることができる。また底板１の上面周縁部に設けられた枠縁２ａ、２ｂにより液体や油が外に流出することがない。さらに突起３の高さにより出来た空間４に溜まった液体・油・調理屑などが、スリッパや足の裏に付着することがないため、他の床面に移動してもスリッパや足の裏で他の床面を汚すことがなく、室内を清潔に保つことができる。また滑らかな形状の突起３は所定の間隔で設けられているため洗い安い。【００１３】即ち、従来のキッチンフロアマットは繊維製品で、落下飛散する液体・油・調理屑などを受け止めるだけで、それらが流出し、スリッパや足の裏に付着していたが、この実施の形態のキッチンフロアマットを使用すれば、枠縁２ａ、２ｂにより流出することがなく、突起３によりスリッパや足の裏に液体・油・調理屑などが付着することがないため、他の床面に移動してもスリッパや足の裏で他の床面を汚すことがなく、室内を清潔に保つことができる効果が得られる。
【実施例２】
【００１４】請求項２による本考案の実施例である。図４は本考案の実施の形態にかかるキッチンフロアマットをユニット単位で実施した例で、ユニットを複数連結した平面図である。図５は図４のＢ−Ｂ断面図で、被覆状連結部品５を取り付けた断面図である。図６は本考案の形態にかかるキッチンフロアマットの実施例の被服状連結部品５を取り付ける前の斜視図である。【００１５】図５において、被覆状連結部品５はユニットを複数連結した枠縁に被せる被覆状の連結具である。被覆状連結部品は、合成樹脂、ゴム、金属等の材料で製作されるのが望ましい。【００１６】本考案のキッチンフロアマットは所定の大きさの底板１の上面周縁部に立てられた枠縁２ａと、連結した隣り合う別のユニットの枠縁２ａに、独立した被服状連結部品５を覆いかぶせるように設置したもので、この独立した被服状連結部品５により、複数のユニットを連結させて主として横方向に拡大させ、作業台の所定の幅に合わせることができる。また独立した被服状連結部品５は相手に覆いかぶせることにより、複数のユニットの合わせ目に発生する隙間に落下飛散する液体・油・調理屑などが進入して床面を汚すことがない効果がある。また、ユニット単位に分割することで、汚れたユニットだけを取り外して水洗いできるので使用者の負担が少なくなる効果がある。
【実施例３】
【００１７】請求項３による本考案の実施例である。図７は本考案の実施の形態にかかるキッチンフロアマットをユニット単位で実施した例で、ユニットを複数連結した平面図である。図８は枠縁２ａの一方向に被覆状連結カバー６を具備したユニットの斜視図である。図９は本考案の形態にかかるキッチンフロアマットの実施例の複数のユニットを連結した状態を示す図７のＣ−Ｃ断面図である。【００１８】図８において、被覆状連結カバー６は枠縁２ａの一方向に枠縁２ａと一体で成型され、隣り合ったユニットの枠縁に被せる被覆状の連結具である。【００１９】本発明のキッチンフロアマットは、所定の大きさの底板１の上面周縁部の枠縁２ａに連続して設けられた被覆状連結カバー６を、隣り合う別のユニットの枠縁２ａに覆いかぶせるように設置したもので、この被覆状連結カバー６により、複数のユニットを連結させて主として横方向に拡大させ、作業台の所定の幅に合わせることができる。また被覆状連結カバー６を隣り合う別のユニットに覆いかぶせることにより、複数のユニットの合わせ目に発生する隙間に落下飛散する液体・油・調理屑などが進入して床面を汚すことがない効果がある。また、ユニット単位に分割することで、汚れたユニットだけを取り外して水洗いできるので使用者の負担が少なくなる効果がある。被覆状連結カバー６は枠縁２ａと一体なので紛失する心配がない。
【産業上の利用可能性】
【００２０】本考案のキッチンフロアマットは独立した状態で製作し利用することが出来るが、特にユニット単位で製作した場合、図１０は基本型、図１１はエンド型、図１２はＬ字型のように３種類のユニットを製作すれば、図１３の並列型キッチン、図１４のＬ字型キッチン、図１５のアイランド型キッチンなど自由に組み合わせることが出来、産業上の利用可能性は高くなる。
【図面の簡単な説明】
【００２１】
【図１】本考案の実施例１にかかる構成を示す断面図である。
【図２】本考案の実施例１にかかる構成を示す平面図である。
【図３】本考案の実施例１にかかるキッチンフロアマットの構成を示す斜面図である。
【図４】本考案の実施例２にかかる構成を示すユニット単位を被覆状連結部品により複数連結した平面図である。
【図５】本考案の実施例２にかかる構成を示すユニット単位を被覆状連結部品により複数連結した構成を示すユニットのＢ−Ｂ断面図である。
【図６】本考案の実施例２にかかる構成を示すユニット単位を被覆状連結部品により複数連結する前の斜視図である。
【図７】本考案の実施例３にかかる被覆状連結カバーを具備した構成を示し、複数のユニット単位を連結した例の平面図である。
【図８】本考案の実施例３にかかる被覆状連結カバーを具備した構成を示し、ユニットの斜視図である。
【図９】本考案の実施例３にかかる構成を示すユニット単位を被覆状連結カバーにより複数連結したＣ−Ｃ断面図である。
【図１０】本考案のユニット単位での基本型の平面図である。
【図１１】本考案のユニット単位のエンド型の平面図である。
【図１２】本考案のユニット単位のＬ字型の平面図である。
【図１３】本考案のユニット単位で利用した並列型キッチンの平面図である。
【図１４】本考案のユニット単位で利用したＬ型キッチンの平面図である。
【図１５】本考案のユニット単位で利用したアイランド型キッチンの平面図である。
【符号の説明】
【００２２】１    底板
２ａ  枠縁
２ｂ  枠縁
３    突起
４    空間
５    被覆状連結部品
６    被覆状連結カバー
【図１】
0003123039.tif 000003
【図２】
0003123039.tif 000004
【図３】
0003123039.tif 000005
【図４】
0003123039.tif 000006
【図５】
0003123039.tif 000007
【図６】
0003123039.tif 000008
【図７】
0003123039.tif 000009
【図８】
0003123039.tif 000010
【図９】
0003123039.tif 000011
【図１０】
0003123039.tif 000012
【図１１】
0003123039.tif 000013
【図１２】
0003123039.tif 000014
【図１３】
0003123039.tif 000015
【図１４】
0003123039.tif 000016
【図１５】
0003123039.tif 000017